(57)【要約】【課題】必要最小限の用紙情報を表示し、視認性及びユーザビリティの向上を図ることを目的とする。【解決手段】画像処理装置制御手段６０３によって提供されるユーザインターフェースを介して入力されたユーザ操作情報に応じて、画像処理装置に設定されている記録用紙の用紙銘柄情報を含む用紙情報を取得する際、画像処理装置に設定されている用紙情報の用紙銘柄情報の全リストを取得するのか、又は登録された用紙銘柄情報を取得するのか、又はカセット段に設定されている用紙銘柄情報を取得するのか、を指示する用紙情報取得指示手段と、用紙情報取得指示手段による指示に応じて、用紙銘柄情報を取得することによって課題を解決する。【選択図】図６
2008146244.tif 000002
【特許請求の範囲】
【請求項１】
画像処理装置と通信可能な情報処理装置であって、
前記画像処理装置に設定されている記録用紙の用紙銘柄情報を含む用紙情報を取得する際、前記画像処理装置に設定されている用紙情報の用紙銘柄情報の全リストを取得するのか、又は登録された用紙銘柄情報を取得するのか、又はカセット段に設定されている用紙銘柄情報を取得するのか、を指示する用紙情報取得指示手段と、
前記用紙情報取得指示手段において、用紙情報の用紙銘柄情報の全リストの取得が指示された場合、前記画像処理装置より、前記用紙情報の用紙銘柄情報の全リスト及び前記カセット段に設定されている用紙銘柄情報を取得する用紙銘柄全リスト取得手段と、
前記用紙情報取得指示手段において、用紙情報の登録された用紙銘柄情報の取得が指示された場合、前記画像処理装置より、前記用紙情報の登録された用紙銘柄情報及び前記カセット段に設定されている用紙銘柄情報を取得する登録リスト取得手段と、
前記用紙銘柄全リスト取得手段によって前記用紙情報の用紙銘柄情報の全リスト及び前記カセット段に設定されている用紙銘柄情報が取得された場合、設定画面を介してユーザにより指示された表示方法にしたがって、用紙銘柄情報の全リスト及び前記カセット段に設定されている用紙銘柄情報の何れか１つを表示し、前記登録リスト取得手段によって、前記用紙情報の登録された用紙銘柄情報及び前記カセット段に設定されている用紙銘柄情報が取得された場合、設定画面を介してユーザにより指示された表示方法にしたがって、登録された用紙銘柄情報及びカセット段に設定されている用紙銘柄情報の何れか１つを表示する表示制御手段と、
を有することを特徴とする情報処理装置。
【請求項２】
前記用紙情報取得指示手段において、カセット段に設定されている用紙銘柄情報の取得が指示された場合、前記画像処理装置より、前記カセット段に設定されている用紙銘柄情報を取得するカセット段情報得手段を更に有し、
前記表示制御手段は、前記カセット段情報取得手段によって取得された当該カセット段に設定されている用紙銘柄情報を表示することを特徴とする請求項１に記載の情報処理装置。
【請求項３】
前記用紙銘柄全リスト取得手段は、更に登録された用紙銘柄情報を取得し、
前記表示制御手段は、前記用紙銘柄全リスト取得手段によって前記用紙情報の用紙銘柄情報の全リスト及び前記カセット段に設定されている用紙銘柄情報及び前記登録された用紙銘柄情報が取得された場合、設定画面を介してユーザにより指示された表示方法にしたがって、用紙銘柄情報の全リスト及び前記カセット段に設定されている用紙銘柄情報及び前記登録された用紙銘柄情報の何れか１つを表示することを特徴とする請求項１又は２に記載の情報処理装置。
【請求項４】
画像処理装置と通信可能な情報処理装置における情報処理方法であって、
前記画像処理装置に設定されている記録用紙の用紙銘柄情報を含む用紙情報を取得する際、前記画像処理装置に設定されている用紙情報の用紙銘柄情報の全リストを取得するのか、又は登録された用紙銘柄情報を取得するのか、又はカセット段に設定されている用紙銘柄情報を取得するのか、を指示する用紙情報取得指示ステップと、
前記用紙情報取得指示ステップにおいて、用紙情報の用紙銘柄情報の全リストの取得が指示された場合、前記画像処理装置より、前記用紙情報の用紙銘柄情報の全リスト及び前記カセット段に設定されている用紙銘柄情報を取得する用紙銘柄全リスト取得ステップと、
前記用紙情報取得指示ステップにおいて、用紙情報の登録された用紙銘柄情報の取得が指示された場合、前記画像処理装置より、前記用紙情報の登録された用紙銘柄情報及び前記カセット段に設定されている用紙銘柄情報を取得する登録リスト取得ステップと、
前記用紙銘柄全リスト取得ステップによって前記用紙情報の用紙銘柄情報の全リスト及び前記カセット段に設定されている用紙銘柄情報が取得された場合、設定画面を介してユーザにより指示された表示方法にしたがって、用紙銘柄情報の全リスト及び前記カセット段に設定されている用紙銘柄情報の何れか１つを表示し、前記登録リスト取得ステップによって、前記用紙情報の登録された用紙銘柄情報及び前記カセット段に設定されている用紙銘柄情報が取得された場合、設定画面を介してユーザにより指示された表示方法にしたがって、登録された用紙銘柄情報及びカセット段に設定されている用紙銘柄情報の何れか１つを表示する表示制御ステップと、
を有することを特徴とする情報処理方法。
【請求項５】
前記用紙情報取得指示ステップにおいて、カセット段に設定されている用紙銘柄情報の取得が指示された場合、前記画像処理装置より、前記カセット段に設定されている用紙銘柄情報を取得するカセット段情報得ステップを更に有し、
前記表示制御ステップは、前記カセット段情報取得ステップによって取得された当該カセット段に設定されている用紙銘柄情報を表示することを特徴とする請求項４に記載の情報処理方法。
【請求項６】
前記用紙銘柄全リスト取得ステップは、更に登録された用紙銘柄情報を取得し、
前記表示制御ステップは、前記用紙銘柄全リスト取得ステップによって前記用紙情報の用紙銘柄情報の全リスト及び前記カセット段に設定されている用紙銘柄情報及び前記登録された用紙銘柄情報が取得された場合、設定画面を介してユーザにより指示された表示方法にしたがって、用紙銘柄情報の全リスト及び前記カセット段に設定されている用紙銘柄情報及び前記登録された用紙銘柄情報の何れか１つを表示することを特徴とする請求項４又は５に記載の情報処理方法。
【請求項７】
画像処理装置と通信可能な情報処理装置のコンピュータを、
前記画像処理装置に設定されている記録用紙の用紙銘柄情報を含む用紙情報を取得する際、前記画像処理装置に設定されている用紙情報の用紙銘柄情報の全リストを取得するのか、又は登録された用紙銘柄情報を取得するのか、又はカセット段に設定されている用紙銘柄情報を取得するのか、を指示する用紙情報取得指示手段と、
前記用紙情報取得指示手段において、用紙情報の用紙銘柄情報の全リストの取得が指示された場合、前記画像処理装置より、前記用紙情報の用紙銘柄情報の全リスト及び前記カセット段に設定されている用紙銘柄情報を取得する用紙銘柄全リスト取得手段と、
前記用紙情報取得指示手段において、用紙情報の登録された用紙銘柄情報の取得が指示された場合、前記画像処理装置より、前記用紙情報の登録された用紙銘柄情報及び前記カセット段に設定されている用紙銘柄情報を取得する登録リスト取得手段と、
前記用紙銘柄全リスト取得手段によって前記用紙情報の用紙銘柄情報の全リスト及び前記カセット段に設定されている用紙銘柄情報が取得された場合、設定画面を介してユーザにより指示された表示方法にしたがって、用紙銘柄情報の全リスト及び前記カセット段に設定されている用紙銘柄情報の何れか１つを表示し、前記登録リスト取得手段によって、前記用紙情報の登録された用紙銘柄情報及び前記カセット段に設定されている用紙銘柄情報が取得された場合、設定画面を介してユーザにより指示された表示方法にしたがって、登録された用紙銘柄情報及びカセット段に設定されている用紙銘柄情報の何れか１つを表示する表示制御手段と、
して機能させるためのプログラム。
【請求項８】
前記情報処理装置のコンピュータを、
前記用紙情報取得指示手段において、カセット段に設定されている用紙銘柄情報の取得が指示された場合、前記画像処理装置より、前記カセット段に設定されている用紙銘柄情報を取得するカセット段情報得手段として更に機能させ、
前記表示制御手段は、前記カセット段情報取得手段によって取得された当該カセット段に設定されている用紙銘柄情報を表示することを特徴とする請求項７に記載のプログラム。
【請求項９】
前記用紙銘柄全リスト取得手段は、更に登録された用紙銘柄情報を取得し、
前記表示制御手段は、前記用紙銘柄全リスト取得手段によって前記用紙情報の用紙銘柄情報の全リスト及び前記カセット段に設定されている用紙銘柄情報及び前記登録された用紙銘柄情報が取得された場合、設定画面を介してユーザにより指示された表示方法にしたがって、用紙銘柄情報の全リスト及び前記カセット段に設定されている用紙銘柄情報及び前記登録された用紙銘柄情報の何れか１つを表示することを特徴とする請求項７又は８に記載のプログラム。
【発明の詳細な説明】
【技術分野】
【０００１】
本発明は、情報処理装置及び情報処理方法に関する。
【背景技術】
【０００２】
従来、ネットワークに接続される画像入出力装置として、プリンタ、ファクシミリ装置、コピー機、及びそれらの機能を有する複合機が存在している。また、画像入出力装置に対して、近年、給紙部や排紙部（ソーターやフィニッシャー）をオプションとして装着できるようになっており、画像入出力装置に送信するための印刷データを生成する情報処理装置では、印刷データに設定する項目が複雑化している。
【０００３】
一方、例えば特許文献１では、プリンタ機器の給紙可能な給紙段に設定される記録媒体の種類（メディアタイプ）として、ＯＨＰ、厚紙、再生紙、光沢紙等のメディアタイプ情報を、プリンタドライバのダイナミックコンフィグ機能で取得する。そして、ドライバＵＩ上に表示する方法が開示されている。ここで、ＵＩは、Ｕｓｅｒ  Ｉｎｔｅｒｆａｃｅの略である。
【０００４】
また、例えばＰＯＤ市場向けの画像入出力装置の場合、用紙の種類として、サポートできる用紙の種類が増大し、数百の用紙銘柄が用紙情報として登録され、参照されるようになってきている。
【０００５】
【特許文献１】特開２００２−４４３４４号公報
【発明の開示】
【発明が解決しようとする課題】
【０００６】
しかし、数百の用紙銘柄を用紙情報としてサポートする画像入出力装置においては、画像入出力装置で設定された用紙情報をプリンタドライバで取得、表示する場合、数百の用紙情報を取得し単にリスト表示するだけでは、ユーザの視認性という点で不便であった。つまり、プリンタドライバＵＩ上の用紙情報に関して、ユーザにとって適切で見やすい表示方法が求められている。
【０００７】
また、数百の用紙情報をプリンタドライバで全部取得する場合、情報量が多く通信のパフォーマンスが悪くなる、又は取得に時間がかかる事もある。したがって最小限の情報を取得し、通信のパフォーマンス等を向上させる方法が求められている。また、オフィス市場及びＰＯＤ市場等、市場によっては使用する用紙の数が異なり、特にＰＯＤ市場では画像入出力装置ではセットされていない用紙をプリンタドライバで指定する等の場合、適切な用紙情報の表示方法が求められている。
【０００８】
本発明はこのような問題点に鑑みなされたもので、必要最小限の用紙情報を表示し、視認性及びユーザビリティの向上を図ることを目的とする。
【課題を解決するための手段】
【０００９】
そこで、本発明は、ネットワークを介して通信可能な画像処理装置を制御する画像処理装置制御手段を有する情報処理装置であって、前記画像処理装置制御手段によって提供されるユーザインターフェースを介して入力されたユーザ操作情報に応じて、前記画像処理装置に設定されている記録用紙の用紙銘柄情報を含む用紙情報を取得する際、前記画像処理装置に設定されている用紙情報の用紙銘柄情報の全リストを取得するのか、又は登録された用紙銘柄情報を取得するのか、又はカセット段に設定されている用紙銘柄情報を取得するのか、を指示する用紙情報取得指示手段と、前記用紙情報取得指示手段において、用紙情報の用紙銘柄情報の全リストの取得が指示された場合、前記画像処理装置より、前記用紙情報の用紙銘柄情報の全リストを取得する用紙銘柄全リスト取得手段と、前記用紙情報取得指示手段において、用紙情報の登録された用紙銘柄情報の取得が指示された場合、前記画像処理装置より、前記用紙情報の登録された用紙銘柄情報を取得する登録リスト取得手段と、前記用紙情報取得指示手段において、カセット段に設定されている用紙銘柄情報の取得が指示された場合、前記画像処理装置より、前記カセット段に設定されている用紙銘柄情報を取得するカセット段情報得手段と、を有することを特徴とする。
【発明の効果】
【００１０】
本発明によれば、必要最小限の用紙情報を表示し、視認性及びユーザビリティの向上を図ることができる。
【発明を実施するための最良の形態】
【００１１】
以下、本発明の実施形態について図面に基づいて説明する。
【００１２】
図１は、本実施形態の印刷システムにおける画像入出力装置の構成を示すブロック図である。図１において、リーダ部１は、原稿の画像を読み取り、原稿画像に応じた画像データを画像入出力制御部３へ出力する。プリンタ部２は、画像入出力制御部３からの画像データに基づく画像を記録紙上に記録する。画像入出力制御部３は、リーダ部１及びプリンタ部２に接続されており、ファクシミリ部４、ストレージ部５、ハードディスク６、コンピュータインターフェース部７、ＲＩＰ部８、操作部９、コア部ｌ０等からなる。ここで、ＲＩＰとは、Ｒａｓｔｅｒ  Ｉｍａｇｅ  Ｐｒｏｃｅｓｓｏｒの略である。
【００１３】
ファクシミリ部４は、電話回線を介して受信した圧縮画像データを伸長して、伸長された画像データをコア部ｌ０へ転送し、又、コア部ｌ０から転送された画像データを圧縮して、圧縮された圧縮画像データを、電話回線を介して送信する。送受信する画像データは、ストレージ部５に接続されたハードディスク６中に一時的に保存することができる。
【００１４】
ストレージ部５にはハードディスク６が接続されており、ストレージ部５はコア部ｌ０から転送された画像データを圧縮し、その画像データを検索するための画像データＩＤ番号と共にハードディスク６に記憶させる。また、ストレージ部５は、コア部ｌ０を介して転送されたコードデータに基づいてハードディスク６に記憶されている圧縮画像データを検索し、検索された圧縮画像データを読み出して伸長し、伸長された画像データをコア部１０へ転送する。
【００１５】
コンピュータインターフェース部７は、パーソナルコンピュータ又はワークステーション（ＰＣ／ＷＳ）１１とコア部ｌ０との間のインターフェースであり、ＰＣ／ＷＳ１１と１対１のローカルインターフェースで接続しても、ネットワークで接続してもよい。また、コンピュータインターフェース部７は、コア部１０で管理している印刷ジョブ情報をＰＣ／ＷＳ１１に送信する等、ＰＣ／ＷＳ１１と双方向通信することもできる。
【００１６】
また、リーダ部１、プリンタ部２で装着されている給紙段や排紙装置（フィニッシャー）等の種類、また、それぞれの給紙段に設定されている用紙情報、トナーの残量等の機器情報は、リーダ部１或いはプリンタ部２からコア部１０に送られる。そして、機器情報は、コンピュータインターフェース部７を介し、ＰＣ／ＷＳ（以下、ホストコンピュータと呼ぶ）１１に送信することができる。
【００１７】
この場合、ホストコンピュータ１１より、機器情報を取得すべく問い合わせがネットワーク等を介してコンピュータインターフェース部７に届く。すると、コンピュータインターフェース部７では、コア部１０に情報を問い合わせ、その情報をコア部１０より引き出し、再びネットワーク等を介してホストコンピュータ１１に送信することになる。ここではホストコンピュータ１１から機器に情報を問い合わせ、その情報を取得することをダイナミックコンフィグと呼ぶ。
【００１８】
ＲＩＰ部８は、ホストコンピュータｌｌから転送された画像を表すコードデータ（ＰＤＬ）をプリンタ部２で記録できる画像データに展開する。
【００１９】
操作部９は、タッチパネルディスプレイとハードキーとを備え、ユーザインターフェースを介して、画像入出力装置への動作指示や動作設定及び用紙銘柄情報を含む用紙情報等の設定等を行う。
【００２０】
コア部ｌ０については後述するが、コア部ｌ０は、リーダ部１、プリンタ部２、ファクシミリ部４、ストレージ部５、コンピュータインターフェース部７、ＲＩＰ部８、操作部９のそれぞれの間のデータの流れを制御する。
【００２１】
ここで、ホストコンピュータ１１と画像入出力装置との間で双方向通信により配信される情報は、前述したように、給紙段や排紙装置等の種類、また、それぞれの給紙段に設定されている用紙情報、トナーの残量等の機器情報（デバイス情報）である。用紙情報は、用紙サイズ、用紙向き、更には、メディアタイプ情報を含んでいる。メディアタイプ情報は、より具体的には、普通紙、光沢紙、厚紙、ＯＨＰ、再生紙、帳票用紙等の情報である。メディアタイプ情報には、画像入出力装置のプリンタ部２が自身で検出できるメディアタイプ（普通紙や厚紙等）の情報以外にも、操作部９からの指示により設定されているメディアタイプ（再生紙、帳票用紙）の情報も含まれる。更には、メディアタイプ情報には、用紙銘柄情報として、画像入出力装置がサポート可能な市販用紙等の名称等の情報も含まれる。
【００２２】
このように、ホストコンピュータ１１へ配信されるメディアタイプ情報は、画像入出力装置の種類や、給紙段の種類により、異なる。それをプリンタ言語（ＰＤＬ）で吸収するには、その都度プリンタ言語及びそれに伴う従来のデバイスのＲＯＭ等を拡張しなければならず不都合である。そのため、 後述するように、従来のプリンタ言語を属性情報の指定ができるジョブコマンドでパケット化し、その属性情報中にメディアタイプの指定をすることにより、プリンタ言語を拡張せずにデバイスに応じたメディアタイプの指定を可能とする。
【００２３】
図２は、リーダ部１及びプリンタ部２の断面図である。リーダ部１の原稿給送装置ｌ０ｌは、原稿を先頭順に１枚ずつプラテンガラスｌ０２上へ給送し、原稿の読み取り動作終了後、プラテンガラス１０２上の原稿を排出する。リーダ部１は、原稿がプラテンガラス１０２上に搬送されると、ランプｌ０３を点灯し、そしてスキャナユニットｌ０４の移動を開始させて、原稿を露光走査する。この時の原稿からの反射光は、ミラーｌ０５、ｌ０６、ｌ０７、及びレンズｌ０８によってＣＣＤイメージセンサ（以下、ＣＣＤという）１０９へ導かれる。このように、走査された原稿の画像は、ＣＣＤｌ０９によって読み取られる。ＣＣＤ１０９から出力される画像データは、所定の処理が施された後、画像入出力制御部３のコア部１０へ転送される。
【００２４】
プリンタ部２のレーザドライバ２２ｌはレーザ発光部２０ｌを駆動するものであり、画像入出力制御部３のコア部１０から出力された画像データに応じたレーザ光をレーザ発光部２０ｌに発光させる。
【００２５】
このレーザ光は感光ドラム２０２に照射され、感光ドラム２０２にはレーザ光に応じた潜像が形成される。この感光ドラム２０２の潜像の部分には現像器２０３によって現像剤が付着される。そして、プリンタ部２は、レーザ光の照射開始と同期したタイミングで、カセット２０４及びカセット２０５の何れかから記録紙を給紙して転写部２０６へ搬送し、感光ドラム２０２に付着された現像剤を記録紙に転写する。
【００２６】
現像剤の乗った記録紙は定着部２０７に搬送され、定着部２０７の熱と圧力により現像剤は記像紙に定着される。定着部２０７を通過した記録紙は排出ローラ２０８によって排出される。また、両面記録が設定されている場合は、排出ローラ２０８のところまで記録紙を搬送した後、排出ローラ２０８の回転方向を逆転させ、フラッパ２０９によって再給紙搬送路２１０へ導く。再給紙搬送路２１０へ導かれた記録紙は前述したタイミングで転写部２０６へ給紙される。
【００２７】
図３は、コア部１０のブロック図である。
リーダ部１からの画像データはインターフェース１２２を介して、データ処理部１２１へ転送される。データ処理部１２１は、画像の回転処理や変倍処理等の画像処理や画像データの圧縮、伸長を行うものであり、内部にＡ４／Ｌｅｔｔｅｒサイズ相当の画像データ複数ページ分のページメモリを有する。リーダ部１からデータ処理部１２１へ転送された画像データは、ページメモリに一時的に記憶された後、圧縮されてインターフェース１２０を介してストレージ部５へ転送される。
【００２８】
また、コンピュータインターフェース部７を介して入力された画像を表すコードデータ（ＰＤＬ）は、インターフェース１２０を介してデータ処理部１２１に転送された後、ＲＩＰ部８へ転送される。そして、ＲＩＰ部８において、画像データに展開され、この画像データはデータ処理部１２１に転送され、ページメモリに一時的に記憶された後、圧縮されてストレージ部５へ転送される。そして、データ処理部１２１において、定められた画像データＩＤ番号で管理される。
【００２９】
ストレージ部５からの画像データは、データ処理部１２１へ転送された後、伸長されてページメモリに一時的に記憶された後、プリンタ部２やファクシミリ部４、コンピュータインターフェース部７へ転送される。
【００３０】
また、画像データがストレージ部５で保持されたならば、直ちにデータ管理部１２５へ通知され、データ処理部１２１で定められた画像データＩＤ番号と関連づけて管理される。また、同時にハードディスク６に保存された印刷ジョブも印刷ジョブＩＤ番号と関連付けて、データ管理部１２５等において管理される。
【００３１】
なお、前述したデータ処理部１２１へ各種画像データを入力し、ページメモリに一時的に記憶した後、ストレージ部５へ画像データを転送する前に、プリンタ部２やファクシミリ部４、コンピュータインターフェース部７へ転送することもできる。これは、内部のセレクタを切り替えることによって実現される。
【００３２】
ＣＰＵ１２３が、メモリ１２４に記憶されている制御プログラム、及び操作部９から転送された制御コマンドにしたがって、コア部１０における前述したような制御を行う。また、メモリ１２４は、ＣＰＵ１２３の作業領域としても使われる。
【００３３】
ここで、画像入出力装置における用紙銘柄情報の処理について補足する。全ての用紙銘柄情報は予め、用紙銘柄全リストとしてハードディスク６に登録されている。ユーザ（オペレータ）はこの用紙銘柄情報に対してコンピュータインターフェース部７を介して、作成、設定、修正等をすることができる。即ち、画像入出力装置は、コンピュータインターフェース部７にオペレーションパネル等、ユーザの指示を受ける操作パネルを表示する。ユーザは、この操作パネルを通じて、これらの用紙銘柄情報に対して、必要とされる用紙銘柄情報を選択し、改めて用紙銘柄情報の登録用紙銘柄リストを作成することができる。また、ユーザは、この操作パネルを通じて、給紙段（カセット段）にどの用紙銘柄を設定するか等を指示することができる。例えば新たに作成、又は設定、修正等された用紙銘柄情報は、ストレージ部５を介してハードディスク６に記録される。また、用紙銘柄情報は、必要に応じてデータ処理部１２１、ＣＰＵ１２３を介し、メモリ１２４上にも記憶される。画像入出力装置は、これらの用紙銘柄情報を、用紙名称或いは用紙タイプと称した用紙情報として処理することができる。
【００３４】
このように、コア部１０を中心に、データ処理部１２１、ストレージ部５を介して、原稿画像の読み取り、画像のプリント、画像の送受信、画像の保存、用紙銘柄情報の処理、コンピュータからのデータの入出力等の機能を複合させた処理を行うことができる。
【００３５】
図４は、主にホストコンピュータ１１の構成を示すブロック図である。画像入出力装置は、ネットワーク２１を介してホストコンピュータ１１に接続されている。なお、本実施の形態ではネットワーク２１を介して画像入出力装置とホストコンピュータ１１とが通信可能に接続されているが、ネットワーク２１だけでなく、ローカルインターフェース（ＵＳＢやＩＥＥＥ１３９４等）等によって接続されていてもよい。
【００３６】
ホストコンピュータ１１は、操作者により任意の所定データが入力されるキーボード（ＫＢ）２３と、前記所定データの表示等を行う表示部（ＣＲＴ）２４とを備えている。また、ホストコンピュータ１１は、ブートプログラムや種々のアプリケーションプログラム、フォントデータ、ユーザファイル、編集ファイル等が記憶されたフレキシブルディスクやハードディスク等の外部記憶装置２５を備えている。２６は、ホストコンピュータ１１の本体部分であり、以下、本体部分を情報制御装置と呼ぶ。
【００３７】
情報制御装置２６は、キーボード２３からのキー入力データや不図示のポインティングデバイスにより指示された入力データを制御するキーボードコントローラ（ＫＢＣ）２７を含む。また、情報制御装置２６は、ＣＲＴ２４を制御するＣＲＴコントローラ（ＣＲＴＣ）２８と、外部記憶装置２５とのアクセスを制御するディスクコントローラ（ＤＫＣ）２９とを含む。また、情報制御装置２６は、画像入出力装置との通信制御処理を実行するプリンタコントローラ（ＰＲＴＣ）３０と、ワークエリア等としての機能を有するＲＡＭ３１と、所定の印刷制御プログラム等が格納されたＲＯＭ３２とを含む。また、情報制御装置２６は、システムバス３３を介して各構成要素と接続されて情報制御装置２６全体の制御を司るＣＰＵ３４を含む。
【００３８】
また、外部記憶装置２５は、本体に内臓若しくは装着されるハードディスクだけでなく、ＦＤ、ＣＤ、ＣＤ−Ｒ、ＣＤ−Ｒ／Ｗ、ＭＯ、ＤＶＤ、光ディスク、光磁気ディスク等の記憶媒体であってもよい。この場合、ＤＫＣ２９は、記憶媒体からデータを読み出すドライブに相当することになる。なお、ここで、ＦＤとは、フロッピー（登録商標）ディスクの略である。
【００３９】
また、ＲＯＭ３２は、文書処理時に使用するフォントデータ等が記憶されたフォント用ＲＯＭ３５と、所定の文書処理プログラムや印刷制御プログラムが格納されたプログラム用ＲＯＭ３６とを備える。また、ＲＯＭ３２は、文書処理を行うときに使用される各種データが記憶されたデータ用ＲＯＭ３７を更に備えている。ＣＰＵ３４は、図形、イメージ、文字、表（表計算等を含む）等が混在した文書処理を、ＲＡＭ３１をワークエリアとして使用しながら、文書処理プログラムの実行を行う。
【００４０】
次に、ホストコンピュータ１１からの要求により、画像入出力装置から現在のデバイスの環境情報を取得するダイナミックコンフィグについて説明する。
【００４１】
前述したように、リーダ部１、プリンタ部２に装着されている給紙段や排紙装置等の種類、それぞれの給紙段に設定されている用紙情報、トナーの残量等の機器情報は、リーダ部１、プリンタ部２からインターフェース１２２を介してＣＰＵ１２３に送られる。そして、ＣＰＵ１２３によって、メモリ１２４に記憶される。また、操作部９により設定指示されるメディアタイプ情報（例えば、予め登録されている用紙銘柄全リスト、ユーザが登録した登録用紙銘柄リスト等を含む）も、ＣＰＵ１２３によって、メモリ１２４に記憶される。
【００４２】
コンピュータインターフェース部７を介して、ネットワーク上のホストコンピュータ１１から機器情報の取得要求が指示された場合、その要求指示はインターフェース１２０を介してＣＰＵ１２３に伝えられる。ＣＰＵ１２３は、要求指示に応じて、メモリ１２４に記憶してあった機器情報である機器情報を取得する。この機器情報は、ホストコンピュータ１１からの要求指示とは逆の順序で、インターフェース１２０を介してコンピュータインターフェース部７に送信される。
【００４３】
次に、本実施形態のホストコンピュータ１１について更に説明する。
図５は、ホストコンピュータ１１における記憶媒体の構成を示す図である。ホストコンピュータ１１は、図５に示す、基本Ｉ／Ｏプログラム、オペレーティングシステム（ＯＳ）、及び印刷処理プログラムをＣＰＵ３４が実行することにより動作する。基本Ｉ／Ｏプログラムはホストコンピュータ１１内のＲＯＭ３２に書き込まれている。また、オペレーティングシステム（ＯＳ）は、ホストコンピュータ１１内の外部記憶装置２５に書き込まれている。
【００４４】
まず、ホストコンピュータ１１の電源がＯＮされると、基本Ｉ／Ｏプログラム中のイニシャルプログラムローディング（ＩＰＬ）機能により、外部記憶装置２５に記憶されたオペレーティングシステム（ＯＳ）がＲＡＭ３１に読み込まれる。そして、ＣＰＵ３４によって、ＯＳが動作される。
【００４５】
次に、ユーザ等が、ホストコンピュータ１１内のキーボード２３及びポインティングデバイスにより、表示部２４の画面に表示されたコマンドメニューのコマンドイメージ等を選択し、アプリケーションの実行を指示する。すると、外部記憶装置２５に記憶されたアプリケーションがＲＡＭ３１に読み込まれる。そして、ＣＰＵ３４によって、アプリケーションが動作される。
【００４６】
アプリケーション起動時と同様な手順で、ユーザにより印刷が指示されると、外部記憶装置２５に記憶された印刷データの合成機能等を有する印刷処理プログラム及びプリンタ制御コマンド生成プログラム（プリンタドライバ）がＲＡＭ３１に読み込まれる。そして、ＣＰＵ３４によって、印刷処理プログラム及びプリンタドライバが動作する。
【００４７】
図６は、ホストコンピュータ１１におけるモジュール構成図である。
図６に示される各モジュールは、例えば外部記憶装置２５に保存されたファイルとして存在し、実行される場合にＯＳやそのモジュールを利用するモジュールによって、ＲＡＭ３１にロードされ、ＣＰＵ３４により実行されるプログラムモジュールである。ここで、図６に示される各モジュールとは、アプリケーション６０１、グラフィックエンジン６０２、プリンタドライバ６０３、システムスプーラ６０４、ダイナミックコンフィグ用のモジュール（ＤＣモジュール）６０５、ＰＤＬ生成モジュール６０６を含む。また、図６に示される各モジュールとは、更に、属性パケット生成モジュール６０７、ネットワークデバイス管理ユーティリティー６０８を含む。
【００４８】
なお、アプリケーション６０１、プリンタドライバ６０３、ＤＣモジュール６０５、ネットワークデバイス管理ユーティリティー６０８は、ＦＤやＣＤ−ＲＯＭ等の記憶媒体からホストコンピュータ１１内のハードディスクに供給される。或いは、ネットワーク２１を経由してホストコンピュータ１１内のハードディスクに供給される。
【００４９】
アプリケーション６０１から画像入出力装置に対して印刷を要求する際には、グラフィックエンジン６０２を利用して、行う。
【００５０】
アプリケーション６０１は、ユーザからの操作により所望となる文書を生成するものであり、ユーザからの印刷指示により、グラフィックエンジン６０２に対して、文書を描画関数として出力する。ここで、Ｗｉｎｄｏｗｓ（登録商標）ＯＳの場合、グラフィックエンジン６０２は、ＧＤＩ（Ｇｒａｐｈｉｃ  Ｄｅｖｉｃｅ  Ｉｎｔｅｒｆａｃｅ）と呼ばれる。
【００５１】
また、グラフィックエンジン６０２は、アプリケーションから印刷開始の指示を受けると、画像入出力装置ごとに用意されたプリンタドライバ６０３をＲＡＭ３１にロードし、アプリケーション６０１の出力をプリンタドライバ６０３に設定する。そして、アプリケーション６０１から受け取るＧＤＩ関数からＤＤＩ（Ｄｅｖｉｃｅ  Ｄｒｉｖｅｒ  Ｉｎｔｅｒｆａｃｅ）関数に変換して、プリンタドライバ６０３へＤＤＩ関数を出力する。
【００５２】
プリンタドライバ６０３は、グラフィックエンジン６０２から受け取ったＤＤＩ関数に基づいて、プリンタ（例えば画像入出力装置等）が認識可能なプリンタ制御コマンド、例えばＰＤＬ（Ｐａｇｅ  Ｄｅｓｃｒｉｐｔｉｏｎ  Ｌａｎｇｕａｇｅ）に変換する。そしてプリンタドライバ６０３は、変換したプリンタ制御コマンドに基づいて印刷データを生成し、ＯＳによってロードされたシステムスプーラ６０４を経て、コンピュータインターフェース部７宛に印刷データを出力する。
【００５３】
ネットワークデバイス管理ユーティリティー６０８は、ネットワーク２１上に接続されているデバイスを管理するためのユーティリティーソフトウェアである。ネットワークデバイス管理ユーティリティー６０８は、ネットワーク２１上の各デバイスからＤＣモジュール６０５（機器情報取得モジュールとも呼ぶ）を介して画像入出力装置の機器情報を収集し、各デバイスのステータスや機能情報等を表示部２４に表示する。その結果、ユーザに各デバイスのステータスや機能情報等を認識させることができる。
【００５４】
また、ネットワークデバイス管理ユーティリティー６０８は、ユーザからの指示を受け付け、ネットワーク２１上のデバイスに対して各種の制御命令を発行する。ネットワークデバイス管理ユーティリティー６０８が発行する制御命令には、ネットワークデバイス内に保持されている印刷ジョブの削除、一時停止、印刷順序の変更等のジョブ制御命令等が含まれる。また、ネットワークデバイス管理ユーティリティー６０８が発行する制御命令には、ネットワークデバイスのＩＰアドレスの変更や各種の設定を変更するための機器制御命令等が含まれる。
【００５５】
また、ＤＣモジュール６０５は、ネットワークデバイス管理ユーティリティー６０８から機器情報取得の指示を受けると、ネットワーク２１等を経由してコンピュータインターフェース部７へ問い合わせを行う。また、コンピュータインターフェース部７から機器情報がネットワーク２１等を経由して機器情報取得モジュールであるＤＣモジュール６０５に送られると、その情報をネットワークデバイス管理ユーティリティー６０８に返す。ＤＣモジュール６０５は、ネットワークデバイス管理ユーティリティー６０８により利用されるモジュールであり、図６の破線で囲まれた部分が、ネットワークデバイス管理ユーティリティー６０８と同時にインストールされる。
【００５６】
本実施形態のプリンタドライバ６０３は、ネットワークデバイス管理ユーティリティー６０８に含まれている機器情報取得モジュールであるＤＣモジュール６０５を利用して画像入出力装置からメディアタイプ情報を含む機器情報を取得する。なお、上述しようにメディアタイプ情報は、用紙情報を含む。プリンタドライバ６０３に含まれるＤＣ制御モジュール（図示省略）は、ホストコンピュータ１１内の登録情報（レジストリ情報）を参照し、ＤＣモジュール６０５が格納されている場所を認識する。そして、プリンタドライバ６０３は、必要に応じてＤＣモジュール６０５に対して、ネットワークデバイス管理ユーティリティー６０８からの依頼と同様に、機器情報の取得を要求する。ＤＣモジュール６０５は、プリンタドライバ６０３（ＤＣ制御モジュール）からの依頼の場合は、ネットワーク２１を介して画像入出力装置から取得した機器情報をネットワークデバイス管理ユーティリティー６０８ではなく、プリンタドライバ６０３に渡す。プリンタドライバ６０３からＤＣモジュール６０５への機器情報の取得要求は、機器情報の取得命令と、画像入出力装置のプリンタポート若しくはＩＰアドレスを直接指定する命令と、依頼元の関数名とを含んでいる。なお、依頼元の関数名とは、より具体的に説明すると、プリンタドライバ６０３の属性パケット生成モジュール６０７を指定する命令のことである。
【００５７】
なお、本実施形態のプリンタドライバ６０３は、ＤＤＩ関数からページ記述言語を生成するＰＤＬ生成モジュール６０６と、生成されたページ記述言語をパケット化し、属性情報を付加した印刷データを生成する属性パケット生成モジュール６０７とを含んでいる。また、プリンタドライバ６０３は、後述するユーザインターフェースを生成し、ＯＳに対してユーザインターフェース情報を提供するＵＩモジュール（図示省略）を含んでいる。
【００５８】
図７は、画像入出力装置で管理される用紙情報の一例を示したテーブルを示す図である。図７の（ａ）は、用紙情報の中の、全用紙銘柄のリスト（用紙銘柄全リスト）を示したものである。用紙銘柄全リストでは、用紙名称に対してそれぞれ固定のオリジナルＩＤが振られている。更に、用紙銘柄全リストは、用紙情報として、坪量、製造会社、形状等、用紙に関する情報を一緒に前記オリジナルＩＤに関連付けて有している。本、用紙銘柄全リストは、画像入出力装置において予め登録されている情報であり、前述したように図３におけるストレージ部５（又はハードディスク６）に登録されている。なお、坪量とは、１平方メートル辺りの重量である。
【００５９】
また、図７の（ｂ）は、用紙情報の登録用紙銘柄リストを示すテーブルであり、画像入出力装置内で管理される。本登録用紙銘柄リストは、ユーザがコンピュータインターフェース部７を介して、図７の（ａ）で説明した用紙銘柄全リストより、例えばよく使うと思われる用紙情報を、選択することで作成される。
【００６０】
用紙銘柄全リストは、用紙情報として例えば数百の用紙情報がリストされ登録されている。そのため、画像入出力装置内でユーザが必要と思われる用紙情報を別途リストとして登録し（つまり、登録用紙銘柄リストを作成し）、後で参照したり、各種手続きをしたりするのに使用する。所謂お気に入り登録のようなものである。この登録用紙銘柄リストに登録された各用紙銘柄は、図７の（ａ）の用紙銘柄全リスト中のオリジナルＩＤと対応付けて保持されている。
【００６１】
例えば図７の（ｂ）では、ユーザが図７の（ａ）の用紙銘柄全リストより、７個の用紙情報を、お気に入りとすべく、登録用紙銘柄リストに設定した様子を示している。図７（
ａ）からユーザは、「普通紙」、「ＯＨＰファイル」、「封筒」、「はがき」、「第２原図」、「ニューＮＰＩ上質」、「ニューＮＰＩ上質」を選択した状態である。この登録用紙銘柄リストが参照される場合、対応する用紙名称或いは用紙情報は、用紙銘柄全リスト上のオリジナルＩＤに基づいて参照される。
【００６２】
図７の（ｃ）は、実際に画像入出力装置が有するカセット段の情報（カセット情報）を示したもので、各カセット段に対応して、セットされた用紙情報及び、カセットの情報として、残量情報やその他の情報を格納している。各カセット段への用紙情報の登録は、ユーザがコンピュータインターフェース部７を介して、実際にセットした用紙の種別を図７の（ｂ）で登録した登録用紙銘柄リスト或いは図７の（ａ）の用紙銘柄全リストより選択して登録する。
【００６３】
また、カセット段の情報として、残量情報は、例えば、画像入出力装置の図２におけるカセット２０４やカセット２０５に備えられたセンサー等が自動感知し、その情報を自動登録する等も可能である。この図７の（ｃ）のカセット情報が参照される場合、対応する用紙名称或いは用紙情報は、用紙銘柄全リスト上のオリジナルＩＤに基づいて参照される。
【００６４】
図８は、ホストコンピュータ１１におけるプリンタドライバ６０３での処理フローを示す図である。
【００６５】
ステップＳ８０１において、プリンタドライバは、ユーザの指示にしたがって用紙情報の取得方法を選択する。ユーザは、例えば図９に示すプリンタドライバＵＩ上で、用紙情報取得方法のダイアログボックスａから、"カセット段の情報を取得"、"全用紙銘柄取得"、"登録用紙情報取得"を選択することで用紙情報の取得方法を選択する。ステップＳ８０１において、用紙情報の取得方法の指定を受け取るとステップＳ８０２に進み、プリンタドライバ６０３は、取得方法が前記３つのうち何れであったかを判断する。ここで、"登録用紙情報取得"が指定されていれば、ステップＳ８０３へ進む。ステップＳ８０３において、プリンタドライバ６０３は、図７の（ｂ）の登録用紙銘柄リスト及び図７の（ｃ）のカセット情報を画像入出力装置より取得する。そして、ステップＳ８０７へ進む。ここで、ステップＳ８０３において取得される登録用紙銘柄リストには、図７の（ｂ）のテーブルに格納されている対応オリジナルＩＤに対応する用紙名称も含まれる。
【００６６】
一方、"全用紙銘柄取得"が指定されていれば、ステップＳ８０４へ進み、プリンタドライバ６０３は、図７の（ａ）の用紙銘柄全リスト及び図７の（ｃ）のカセット情報を画像入出力装置より取得する。そして、ステップＳ８０７へ進む。
【００６７】
一方、"カセット段の情報を取得"が指定されていれば、ステップＳ８０５へ進み、プリンタドライバ６０３は、図７の（ｃ）のカセット情報のみを画像入出力装置より取得する。そして、ステップＳ８０６へ進む。ここで、ステップＳ８０５において取得されるカセット情報には、図７の（ｃ）のテーブルに格納されている対応オリジナルＩＤに対応する用紙名称も含まれる。
【００６８】
なお、ステップＳ８０３、Ｓ８０４、Ｓ８０５における実際の用紙関連情報の取得タイミングは、図９のｂに示す、デバイス情報の取得ボタンが押下されるタイミングでもよい。
【００６９】
ステップＳ８０６において、プリンタドライバ６０３は、取得した図７の（ｃ）のカセット情報をそのままＵＩ上に表示する。図１０は、用紙情報を表示したＵＩの一例を示す図である。図１０のａが用紙タイプとして、カセット情報における用紙情報を表示するダイアログである。図１０のｂは後述するが、ステップＳ８０６では、グレーアウト表示される等、オペレータが選択できないコントロールとなる。なお、図１０に示されるように、表示するカセット情報は、図７の（ｃ）のテーブルに格納されている対応オリジナルＩＤに対応する用紙名称等の情報である。なお、図１０は、用紙銘柄全リストを表示したＵＩである。
【００７０】
ステップＳ８０７において、プリンタドライバ６０３は、ステップＳ８０３及びＳ８０４で取得した情報を一時的に保存する。保存先として例えば図４で説明した外部記憶装置２５或いはＲＡＭ３１等である。ステップＳ８０８において、ユーザは、表示方法を指定する。ユーザは、例えば、図１０のｂに示す、給紙部に設定されている用紙を表示するか否かを指定するチェックボックス等を用いて表示方法を指定する。
【００７１】
ステップＳ８０９において、プリンタドライバ６０３は、ユーザが指定した表示方法を判断する。表示方法として"カセット段の情報のみ表示"が指定された場合、ステップＳ８１１に進み、プリンタドライバ６０３は、ステップＳ８０７で保存・登録してあったカセット情報を参照する。ここで、表示方法として"カセット段の情報のみ表示"が指定された場合とは、例えば、図１０のｂのチェックボックスにチェックが入っていた場合等である。続いて、ステップＳ８１２において、プリンタドライバ６０３は、図１０のａに用紙タイプとして、カセット段の用紙銘柄のみ、用紙情報として表示する。
【００７２】
一方、表示方法として"カセット段の情報のみ表示"が指定されなかった場合、ステップＳ８１０に進み、プリンタドライバ６０３は、ステップＳ８０７で保存・登録してあった用紙銘柄（登録用紙銘柄リスト又は用紙銘柄全リスト）を参照する。続いて、ステップＳ８１３において、プリンタドライバ６０３は、図１０のａに用紙タイプとして、用紙銘柄（登録用紙銘柄リスト又は用紙銘柄全リスト）を表示する。なお、表示する用紙銘柄全リストは、図７の（ａ）のテーブルに格納されている用紙名称等の情報である。また、表示する登録用紙銘柄リストは、図７の（ｂ）のテーブルに格納されている対応オリジナルＩＤに対応する用紙名称等の情報である。
【００７３】
なお、図８では、カセット段の用紙銘柄及び登録用紙銘柄の何れかを表示する表示方法と、カセット段の用紙銘柄及び全用紙銘柄の何れかを表示する表示方法とについて説明した。つまり、２種類間での切り替えであったが、図１１を用いてカセット段の用紙銘柄、登録用紙銘柄、全用紙銘柄の３種類間での切り替えについて説明する。
【００７４】
まず、Ｓ１１０１からＳ１１０２までは図８のＳ８０１からＳ８０２と同じであるため詳細な説明は省略する。また、Ｓ１１０２において、登録用紙情報取得又はカセット段の情報取得が選択された場合は、図８に記載のＳ８０３又はＳ８０５へと処理を進める。
【００７５】
一方、Ｓ１１０２において全用紙銘柄取得が選択された場合、プリンタドライバ６０３は、図７の（ａ）〜（ｃ）を取得して（Ｓ１１０３）、取得した情報を保存する（Ｓ１１０４）。
【００７６】
そして、ユーザが表示方法指定を指示すると、プリンタドライバ６０３は、表示方法を選択するための設定画面を表示し（Ｓ１１０４）、当該設定画面を介して指定された表示方法を判定する（Ｓ１１０６）。Ｓ１１０４にて表示される設定画面の一例が、図１２である。図１２のｂにおいて表示方法が選択される。
【００７７】
Ｓ１１０６において全用紙銘柄を表示することが指定された場合、プリンタドライバ６０３は、Ｓ１１０４にて保存した図７（ａ）の情報を参照して（Ｓ１１０７）、用紙銘柄全リストを表示する（Ｓ１１０８）。
【００７８】
Ｓ１１０６において登録用紙銘柄を表示することが指定された場合、プリンタドライバ６０３は、Ｓ１１０４にて保存した図７（ｂ）の情報を参照して（Ｓ１１０９）、用紙銘柄全リストを表示する（Ｓ１１１０）。
【００７９】
Ｓ１１０６においてカセット段の情報を表示することが指定された場合、プリンタドライバ６０３は、Ｓ１１０４にて保存した図７（ｃ）の情報を参照して（Ｓ１１１１）、カセット段の用紙銘柄を表示する（Ｓ１１１２）。
【００８０】
なお、図１２では、カセット段の情報を表示することが指定されているため、プリンタドライバ６０３は、図７（ｃ）の情報を用いて用紙銘柄を表示する。
【００８１】
＜その他の実施形態＞
また、本発明の目的は、以下のようにすることによって達成されることはいうまでもない。即ち、上述した実施形態の機能を実現するソフトウェアのプログラムコードを記録した記録媒体（又は記憶媒体）を、システム或いは装置に供給する。そして、そのシステム或いは装置のコンピュータ（又はＣＰＵやＭＰＵ）が記録媒体に格納されたプログラムコードを読み出し実行する。この場合、記録媒体から読み出されたプログラムコード自体が上述した実施形態の機能を実現することになり、そのプログラムコードを記録した記録媒体は本発明を構成することになる。
【００８２】
また、コンピュータが読み出したプログラムコードを実行することにより、そのプログラムコードの指示に基づき、コンピュータ上で稼働しているオペレーティングシステム（ＯＳ）等が実際の処理の一部又は全部を行う。その処理によって上述した実施形態の機能が実現される場合も含まれることは言うまでもない。
【００８３】
更に、記録媒体から読み出されたプログラムコードが、コンピュータに挿入された機能拡張カードやコンピュータに接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれることは言うまでもない。
【００８４】
本発明を前記記録媒体に適用する場合、その記録媒体には、先に説明したフローチャートに対応するプログラムコードが格納されることになる。
【００８５】
以上説明したように、上述した実施形態によれば、プリンタドライバ６０３により提供されるユーザインターフェース上からの要求に応じて、画像入出力装置から用紙情報を切り替えて取得することができる。よって、ユーザにとって必要最小限の用紙情報を表示することで、視認性及びユーザビリティの向上が図れる。
【００８６】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００８７】
【図１】本実施形態の印刷システムにおける画像入出力装置の構成を示すブロック図である。
【図２】リーダ部１及びプリンタ部２の断面図である。
【図３】コア部１０のブロック図である。
【図４】主にホストコンピュータ１１の構成を示すブロック図である。
【図５】ホストコンピュータ１１における記憶媒体の構成を示す図である。
【図６】ホストコンピュータ１１におけるモジュール構成図である。
【図７】画像入出力装置で管理される用紙情報の一例を示したテーブルを示す図である。
【図８】ホストコンピュータ１１におけるプリンタドライバ６０３での処理フローを示す図である。
【図９】用紙情報の取得方法の選択に係るＵＩの一例を示す図である。
【図１０】用紙情報を表示したＵＩの一例を示す図である。
【図１１】ホストコンピュータ１１におけるプリンタドライバ６０３での処理フローを示す図である。
【図１２】用紙情報を表示したＵＩの一例を示す図である。
【符号の説明】
【００８８】
１    リーダ部
２    プリンタ部
３    画像入出力制御部
４    ファクシミリ部
５    ストレージ部
６    ハードディスク
７    コンピュータインターフェース部
８    ＲＩＰ部
９    操作部
１０  コア部
１１  ホストコンピュータ
【図１】
2008146244.tif 000003
【図２】
2008146244.tif 000004
【図３】
2008146244.tif 000005
【図４】
2008146244.tif 000006
【図５】
2008146244.tif 000007
【図６】
2008146244.tif 000008
【図７】
2008146244.tif 000009
【図８】
2008146244.tif 000010
【図９】
2008146244.tif 000011
【図１０】
2008146244.tif 000012
【図１１】
2008146244.tif 000013
【図１２】
2008146244.tif 000014